(57)【要約】【課題】臭いの発散を抑制可能なペット用トイレを提供する。【解決手段】ペット用トイレ１において、上面に開口を有する容器型のトイレ本体１００と、上下方向に貫通する複数の貫通孔２０１，…を有し、トイレ本体１００内を上層部分と下層部分とに区画する仕切部材２００と、を備え、当該下層部分に、尿よりも比重の小さい疎水性の液体（尿封止液Ｍ）を導入した状態で使用される。【選択図】図４
2014195429.tif 000002
【特許請求の範囲】
【請求項１】
上面に開口を有する容器型のトイレ本体と、
上下方向に貫通する複数の貫通孔を有し、前記トイレ本体内を上層部分と下層部分とに区画する仕切部材と、を備え、
前記下層部分に、尿よりも比重の小さい疎水性の液体を導入した状態で使用されることを特徴とするペット用トイレ。
【請求項２】
前記トイレ本体の内面のうち前記仕切部材よりも下側には、当該トイレ本体の平面視内側に向けて延出する液返し部が形成されており、
前記仕切部材のうち前記複数の貫通孔が設けられた部分は、その平面視におけるサイズが、前記液返し部で囲まれた開口の平面視におけるサイズよりも小さいこと特徴とする請求項１に記載のペット用トイレ。
【請求項３】
前記トイレ本体の側壁下部又は底壁には、尿を排出するための排出口が設けられていることを特徴とする請求項１又は２に記載のペット用トイレ。
【請求項４】
前記トイレ本体の底面は、前記排出口に向けて下り傾斜していることを特徴とする請求項３に記載のペット用トイレ。
【請求項５】
前記トイレ本体の底面には、凹部が設けられており、
前記トイレ本体の底面は、前記凹部に向けて下り傾斜していることを特徴とする請求項１から４の何れか一項に記載のペット用トイレ。
【請求項６】
前記仕切部材の下面には、下方に向けて延出する複数の導液部が形成されていることを特徴とする請求項１から５の何れか一項に記載のペット用トイレ。
【請求項７】
前記トイレ本体は、
前記下層部分を構成するトレー部材と、
前記トレー部材を取り出し可能に収納する収納部材と、を備えることを特徴とする請求項１から６の何れか一項に記載のペット用トイレ。
【発明の詳細な説明】
【技術分野】
【０００１】
本発明は、ペット用トイレに関する。
【背景技術】
【０００２】
従来、室内で飼われている犬や猫などのペット用トイレとして、プラスチック製の容器に鉱物系のゼオライト、川の砂、尿等を吸収すると固まるベントナイト、あるいは粉砕パルプ等を固めて粒状に成型したセルロース粒等のいわゆる猫砂と呼ばれる粒状物からなるトイレ砂が敷設されたトイレが一般に使用されている。犬や猫などのペットは、トイレ砂の上から尿や便などを排泄する。
【０００３】
トイレ砂を利用したペット用トイレとして、トイレ本体内を簀の子によって上層部分と下層部分とに区画し、上層部分にトイレ砂が敷設され、下層部分に尿が貯留されるトイレが知られている。
具体的には、トイレ本体、及び該トイレ本体内を上層部分と下層部分とに区画する尿透過性の仕切層を備え、該下層部分に、尿を受けるトレーを備えるペット用トイレであって、前記トレーに、該トレー内の尿を注ぎ出す注ぎ口が設けられているトイレ（特許文献１参照）や、多数の小孔を有するトイレ砂保持基板を底壁とする排尿用トレーと、前記排尿用トレーの下側に配置され、前記トイレ砂保持面の小孔を通過して落下する尿を集液し且つ集液された尿を排出する集液ロートと、前記集液ロートの下側に配置され、該集液ロートの排液管からの液を受ける口部を備えた排尿収納容器と、からなるトイレ（特許文献２参照）などが知られている。
【先行技術文献】
【特許文献】
【０００４】
【特許文献１】特開２０１１−４６６４号公報
【特許文献２】特開２００６−１４９３７２号公報
【発明の概要】
【発明が解決しようとする課題】
【０００５】
しかしながら、特許文献１に記載のトイレの場合、トレーの上面は簀の子（仕切層）で覆われているだけであり、実質上、トレー内は開放状態にあるため、トレー内に貯留されている尿は常に空気に触れた状態であり、尿の臭いが発散しやすいという問題がある。
また、特許文献２に記載のトイレの場合、排尿収納容器は口部のみが開放されているので、排尿収納容器内に貯留されている尿の臭いは発散しにくいが、尿は集液ロートの斜面を伝って排尿収納容器に移動するため、集液ロートの集液面に尿が付着しやすい。また、上層部にはトイレ砂があるため、そのトイレ砂の細かな粒や欠片がその集液面に落下し、尿と混ざることでこの集液面に堆積しやすくなり、臭いの発生元となってしまう。その場合、集液ロートの集液面は簀の子（トイレ砂保持基板）で覆われているだけなので、実質上、開放状態にあり、集液面に付着している尿の臭いは発散しやすいという問題がある。
【０００６】
本発明は、尿が空間に触れる機会を可能な限り低減することで、臭いの発散を抑制できるペット用トイレを提供することを目的とする。
【課題を解決するための手段】
【０００７】
請求項１に記載の発明は、ペット用トイレにおいて、
上面に開口を有する容器型のトイレ本体と、
上下方向に貫通する複数の貫通孔を有し、前記トイレ本体内を上層部分と下層部分とに区画する仕切部材と、を備え、
前記下層部分に、尿よりも比重の小さい疎水性の液体を導入した状態で使用されることを特徴とする。
【０００８】
請求項２に記載の発明は、請求項１に記載のペット用トイレにおいて、
前記トイレ本体の内面のうち前記仕切部材よりも下側には、当該トイレ本体の平面視内側に向けて延出する液返し部が形成されており、
前記仕切部材のうち前記複数の貫通孔が設けられた部分は、その平面視におけるサイズが、前記液返し部で囲まれた開口の平面視におけるサイズよりも小さいこと特徴とする。
【０００９】
請求項３に記載の発明は、請求項１又は２に記載のペット用トイレにおいて、
前記トイレ本体の側壁下部又は底壁には、尿を排出するための排出口が設けられていることを特徴とする。
請求項４に記載の発明は、請求項３に記載のペット用トイレにおいて、
前記トイレ本体の底面は、前記排出口に向けて下り傾斜していることを特徴とする。
【００１０】
請求項５に記載の発明は、請求項１から４の何れか一項に記載のペット用トイレにおいて、
前記トイレ本体の底面には、凹部が設けられており、
前記トイレ本体の底面は、前記凹部に向けて下り傾斜していることを特徴とする。
【００１１】
請求項６に記載の発明は、請求項１から５の何れか一項に記載のペット用トイレにおいて、
前記仕切部材の下面には、下方に向けて延出する複数の導液部が形成されていることを特徴とする。
【００１２】
請求項７に記載の発明は、請求項１から６の何れか一項に記載のペット用トイレにおいて、
前記トイレ本体は、
前記下層部分を構成するトレー部材と、
前記トレー部材を取り出し可能に収納する収納部材と、を備えることを特徴とする。
【発明の効果】
【００１３】
本発明によれば、尿を、尿よりも比重の小さい疎水性の液体の層で封止された状態で、トイレ本体の下層部分内に貯留できるので、直接、尿が空間と触れる機会が殆どなく、尿が下層へ落下する瞬間以外は、尿はほぼ密閉空間に存在することとなるため、臭いの発散を抑制することが可能となる。
【図面の簡単な説明】
【００１４】
【図１】本実施形態のペット用トイレの全体構成を示す外観斜視図である。
【図２】図１のペット用トイレのトレー部材を取り外した状態を示す図である。
【図３】図１のIII−III部の一例を示す断面図である。
【図４】尿が尿封止液の層（封止層）で封止された状態を説明するための図である。
【図５】ペット用トイレに吸収性物品を敷設した状態を示す図である。
【図６】ペット用トイレに吸収性物品を敷設した状態を示す図である。
【図７】ペット用トイレに吸収性物品を敷設した状態を示す図である。
【図８】図７の吸収性物品の平面図である。
【図９】変形例１のペット用トイレを示す断面図である。
【図１０】図９の仕切部材の要部拡大図である。
【図１１】変形例２のペット用トイレを示す断面図である。
【図１２】変形例２のペット用トイレを示す断面図である。
【図１３】変形例３のペット用トイレを示す断面図である。
【図１４】図１３のペット用トイレに吸収性物品を敷設した状態を示す図である。
【図１５】図１３のペット用トイレに吸収性物品を敷設した状態を示す図である。
【発明を実施するための形態】
【００１５】
以下、本発明の実施の形態を、図面を参照しながら詳細に説明する。
なお、本発明において、「ペット」とは、犬、猫、ウサギ、ハムスター等の小動物を意味するものとする。
また、以下の説明では、ペット用トイレ１の平面視長手方向を左右方向、平面視短手方向（幅方向）を前後方向、高さ方向を上下方向とする。
【００１６】
本実施形態に係るペット用トイレ１は、図１から図３に示すように、上面に開口を有する容器型のトイレ本体１００と、トイレ本体１００内を上層部分と下層部分とに区画する仕切部材２００と、を備えて構成される。
【００１７】
トイレ本体１００は、主に、上面に開口を有する平面視略矩形状の箱形容器である収納部材１１０と、上面に開口を有する平面視略矩形状の箱形容器であって収納部材１１０内に収納可能なトレー部材１２０と、からなる。
収納部材１１０及びトレー部材１２０は、例えば、ポリエチレン（ＰＥ）、ポリプロピレン（ＰＰ）、アクリロニトリル−ブタジエン−スチレン共重合体（ＡＢＳ）等の合成樹脂やステンレス等の金属などで形成されている。なお、収納部材１１０及びトレー部材１２０の材質は、同じであってもよいし、異なっていてもよい。
【００１８】
トイレ本体１００のうちの収納部材１１０に仕切部材２００が取り付けられ、収納部材１１０は、その内部が仕切部材２００によって上下に区画されている。
本実施形態では、仕切部材２００が下方に抜け落ちないように、収納部材１１０の側壁の内面にストッパーとしての突起部１１１，１１１が設けられている。
【００１９】
収納部材１１０の長手方向一側壁（本実施形態の場合、左側壁）のうち仕切部材２００よりも下側には開口部１１２が形成されており、トレー部材１２０は、この開口部１１２から引き出し式に取り出し可能となっている。
トレー部材１２０の引き出される側の側壁（本実施形態の場合、左側壁）の外面には、トレー部材１２０を引き出すときに把持される把持部１２１が設けられている。
なお、開口部１１２は、収納部材１１０の長手方向両側壁に設けられていてもよいし、収納部材１１０の幅方向一側壁あるいは幅方向両側壁に設けられていてもよい。また、把持部１２１の位置や個数は、開口部１１２の位置や個数に応じて適宜任意に変更可能であり、把持部１２１の形状も、適宜任意に変更可能である。
【００２０】
また、本実施形態では、トレー部材１２０の上端周縁部に、当該トレー部材１２０の平面視内側に向けて延出する液返し部１２２が設けられている。
これにより、トレー部材１２０の横揺れ等に伴い、当該トレー部材１２０内に貯留されている尿Ｎ等がこぼれてしまうことを抑制できるようになっている。
【００２１】
仕切部材２００は、トレー部材１２０の上方に着脱自在に取り付けられ、収納部材１１０内を上下に区画する略矩形状の板状部材である。仕切部材２００は、例えば、ポリエチレン（ＰＥ）、ポリプロピレン（ＰＰ）、アクリロニトリル−ブタジエン−スチレン共重合体（ＡＢＳ）等の合成樹脂やステンレス等の金属などで形成されている。
なお、強度や重量、あるいは成型のし易さ等から、合成樹脂性のものを使用することがより好ましい。また、仕切部材２００は、撥水加工が施されていることがより好ましい。
また、仕切部材２００は、トイレ本体１００（例えば、収納部材１１０）と一体的に形成されていてもよい。
【００２２】
仕切部材２００は、上下方向（厚み方向）に貫通する貫通孔２０１，…を網目状に多数有している。すなわち、貫通孔２０１，…は、仕切部材２００の平面視長手方向及び幅方向それぞれに所定間隔を置いて配置されている。貫通孔２０１，…は、仕切部材２００上でペットが排泄した尿Ｎ等の液体を通過させるための通液孔として機能する。
なお、貫通孔２０１，…の大きさは、仕切部材２００の上面に敷設されるトイレ砂（図示省略）の粒径を反映し、トイレ砂が仕切部材２００の下方へと落下することを防止できる大きさであれば任意であるが、表面張力により尿Ｎ等の液体が残らない程度の大きさであることが好ましく、具体的には、１〜５ｍｍ程度が好ましい。
【００２３】
本実施形態では、仕切部材２００のうち複数の貫通孔２０１，…が設けられた部分は、その平面視におけるサイズが、トレー部材１２０の液返し部１２２で囲まれた開口の平面視におけるサイズよりも小さくなるよう設定されている。すなわち、仕切部材２００のうち複数の貫通孔２０１，…が設けられた部分の左右方向の長さＬ１（図３参照）は、トレー部材１２０の液返し部１２２で囲まれた開口の左右方向の長さＬ２（図３参照）よりも短く、かつ、仕切部材２００のうち複数の貫通孔２０１，…が設けられた部分の前後方向の長さは、トレー部材１２０の液返し部１２２で囲まれた開口の前後方向の長さよりも短くなるよう設定されている。
これにより、仕切部材２００の貫通孔２０１，…を通過した尿Ｎ等の液体が、液返し部１２２の先端部や上面に付着することなく、確実にトレー部材１２０内へと落ちるようになっている。
【００２４】
次に、本実施形態に係るペット用トイレ１の使用方法について説明する。
まず、ペットの飼い主は、尿Ｎよりも比重の小さい疎水性の液体からなる尿封止液Ｍを、トレー部材１２０内に注入する。
次に、飼い主は、収納部材１１０に、尿封止液Ｍが導入されているトレー部材１２０を装着する。また、収納部材１１０に仕切部材２００が装着されていない場合には、仕切部材２００も装着する。これにより、ペット用トイレ１が完成する。
【００２５】
本実施形態のペット用トイレ１において、ペットは、仕切部材２００上で排泄を行う。ペットが排泄した尿Ｎは、仕切部材２００の貫通孔２０１，…を通過してトレー部材１２０内に落ちて溜まる。この際、トレー部材１２０内には尿封止液Ｍが導入されていて尿封止液Ｍの層が形成されているが、尿封止液Ｍは尿Ｎよりも比重の小さい疎水性の液体であるので、トレー部材１２０内に落ちた尿Ｎは、尿封止液Ｍに溶解することなく、尿封止液Ｍの層を通過して尿封止液Ｍの層の下側に溜まっていく。したがって、例えば図４に示すように、トレー部材１２０内に貯留されている尿Ｎは、尿封止液Ｍの層（封止層）で覆われて封止された状態、すなわち臭いの発散が抑制された状態となっている。
【００２６】
ここで、犬や猫などの尿Ｎの比重は一般的に１．００１〜１．０８０であるので、尿封止液Ｍの比重は、１．００１未満である。
尿封止液Ｍは、尿Ｎよりも比重の小さい疎水性の液体であれば任意であり、例えば、サラダ油やミシン油、シリコン油、自転車油等の各種油の他、芳香族炭化水素や高級アルコールなどでもよい。ただし、尿封止液Ｍは、家庭で安全に使用できるものであることが好ましい。例えば、オリーブ油の比重は０．９１、トルエンの比重は０．８６、ブタノールの比重は０．８１である。
【００２７】
また、尿封止液Ｍの層の厚みは、１〜５ｍｍ程度が好ましい。収納部材１１０の寸法は、猫や小型犬が乗って排泄できる寸法であり、例えば、幅方向の長さが４０ｃｍ程度で長手方向の長さが５０ｃｍ程度である。トレー部材１２０の寸法も同等であるので、尿封止液Ｍの層の厚みを１〜５ｍｍ程度にするには、２００〜１０００ｃｃ程度の尿封止液Ｍをトレー部材１２０内に導入するとよい。
尿封止液Ｍの層の厚みが１ｍｍよりも小さいと、尿封止液Ｍの層が薄すぎて、部分的に尿Ｎを覆えない箇所が発生し、臭いの発散を効果的に抑制できなくなるおそれがある。また、尿封止液Ｍの層の厚みが５ｍｍよりも大きいと、尿封止液Ｍを必要以上にトレー部材１２０内に導入することになるので、経済的でない。
また、猫や小型犬などから排泄される１〜２週間分の尿Ｎの量は、７００〜１４００ｃｃ程度であるので、トレー部材１２０の深さは、２０ｍｍ程度であればよく、液こぼれを効果的に抑制するためには３０ｍｍ程度が好ましい。
【００２８】
また、尿封止液Ｍは、低粘度の液体であることが好ましい。具体的には、尿封止液Ｍの粘度は、６６ｍＰａ・ｓ以下であることが好ましく、１５ｍＰａ・ｓ以下であることがより好ましく、７ｍＰａ・ｓ以下であることが最も好ましい。
尿封止液Ｍの粘度が６６ｍＰａ・ｓよりも大きいと、トレー部材１２０内に落ちた尿Ｎが、尿封止液Ｍの層をすばやく通過できないため、尿Ｎと尿封止液Ｍとが分離して尿Ｎの層が尿封止液Ｍの層（封止層）で封止された状態、すなわち臭いの発散が抑制された状態となるまでに時間がかかる。例えば、ミシン油の粘度は７ｍＰａ・ｓ、コンプレッサーオイルの粘度は６６ｍＰａ・ｓである。
【００２９】
また、尿封止液Ｍは、引火点の高い液体であることが好ましく、引火性のない液体であることがより好ましい。具体的には、尿封止液Ｍの引火点は、７０℃以上であることが好ましい。
尿封止液Ｍの引火点が７０℃よりも小さいと、火気に注意しなければならない等の特段の配慮をする必要があり、取り扱いにくくなる。例えば、オリーブ油の引火点は２２５℃、機械油の引火点は１２０〜２７０℃、トルエンの引火点は４℃である。
【００３０】
また、尿封止液Ｍには、芳香剤、消臭剤及び抗菌剤のうちの少なくとも一つが添加されていることが好ましい。
尿封止液Ｍに芳香剤が添加されていると、ペット用トイレ１から芳香を放つことができる。また、尿封止液Ｍ自体に特有の臭いがある場合には、芳香剤を添加することで、その臭いをマスキングすることができる。
尿封止液Ｍに消臭剤が添加されていると、尿封止液Ｍの層を通過する間や尿封止液Ｍの層で封止されている間に尿Ｎの臭いが除去されていくので、臭いの発散を効果的に抑制できるとともに、トレー部材１２０内の尿Ｎを臭いの少ない状態で廃棄することができる。また、尿封止液Ｍ自体に特有の臭いがある場合には、消臭剤を添加することで、その臭いを除去することができる。
尿封止液Ｍに抗菌剤が添加されていると、尿封止液Ｍの層を通過する間や尿封止液Ｍの層で封止されている間に尿Ｎ中の菌数が減少していくので、臭いの発散を効果的に抑制できるとともに、トレー部材１２０内の尿Ｎを衛生的に廃棄することができる。
【００３１】
また、尿封止液Ｍは、尿Ｎとは異なる色に着色されていることが好ましい。
尿封止液Ｍが着色されていると、トレー部材１２０内に貯留されている尿Ｎを見た目にも隠蔽することができる。また、尿Ｎの層と尿封止液Ｍの層との境界が分かりやすくなるので、トレー部材１２０内の尿Ｎだけを廃棄して尿封止液Ｍは廃棄したくない場合に、容易に達成することができる。
【００３２】
また、トレー部材１２０内に貯留されている尿Ｎがトレー部材１２０外から視認可能となるように、トイレ本体１００（少なくともトレー部材１２０）を、光を透過可能な材質（すなわち、透明や半透明の材質）により形成したり、トイレ本体１００（少なくともトレー部材１２０）に、光を透過可能な材質からなる視認窓部を設けたりすることが好ましい。これにより、トレー部材１２０内の尿封止液Ｍや尿Ｎの量を、トレー部材１２０外から把握することができる。
この場合、尿封止液Ｍが尿Ｎとは異なる色に着色されていると、トレー部材１２０内の尿封止液Ｍや尿Ｎの量を的確に把握することが可能となる。
また、トレー部材１２０内の液体の量を示す目盛りをトイレ本体１００（トレー部材１２０及び／又は収納部材１１０）に設けると、トレー部材１２０内の尿封止液Ｍや尿Ｎの量を的確に把握することが可能となる。
【００３３】
そして、トレー部材１２０内の尿Ｎを廃棄する際には、収納部材１１０からトレー部材１２０を引き出して、尿Ｎを尿封止液Ｍとともに廃棄してもよいし、尿Ｎだけを廃棄して尿封止液Ｍはトレー部材１２０内に残すようにしてもよい。この際、トレー部材１２０を傾けて液返し部１２２で囲まれた開口から廃棄してもよいし、トレー部材１２０の側壁や底壁に排出口１２３（図１１及び図１２参照）を設けて当該排出口１２３から廃棄してもよい。
尿Ｎを尿封止液Ｍとともに廃棄する際には、廃棄前に界面活性剤を添加して、尿Ｎと尿封止液Ｍとを混合させるとよい。
また、尿Ｎだけを廃棄する際には、トレー部材１２０内に高吸水性樹脂（ＳＡＰ：Super Absorbent Polymer）を振り掛けると、尿Ｎだけを固化して廃棄することが可能となる。
【００３４】
また、例えば図５に示すように、吸収性物品Ａをトレー部材１２０の底面に敷設しておけば、トレー部材１２０内の尿Ｎ及び尿封止液Ｍのうち、主に尿Ｎを吸収して廃棄することが可能となる。
吸収性物品Ａは、尿Ｎ等の水様成分を吸収する役割を果たすものである。吸収性物品Ａをトレー部材１２０内に敷設するタイミングは任意であり、例えば、ペット用トイレ１の使用前に吸収性物品Ａをトレー部材１２０内に敷設してもよいし、尿Ｎを廃棄する際に吸収性物品Ａをトレー部材１２０内に敷設してもよい。また、トレー部材１２０内の液体の量を示す目盛りがトイレ本体１００に設けられている場合には、その目盛りからトレー部材１２０内の液体の量を読み取り、トレー部材１２０内の液体の量が所定量に達した場合に、吸収性物品Ａをトレー部材１２０内に敷設してもよい。
ここで、吸収性物品Ａとしては、例えば、７０重量％以上の高吸水性樹脂（ＳＡＰ）を含有する吸収体Ａ１と、吸収体Ａ１を包む透液性のシート材Ａ２と、を備えて構成されるものが好ましい。
【００３５】
吸収体Ａ１は、７０重量％以上の高吸水性樹脂を含有するものであれば、高吸水性樹脂のみを含有する吸収体であってもよいし、高吸水性樹脂の他に、綿やパルプ、レーヨン、アセテートなどの吸収性素材を含有する吸収体であってもよいが、このような吸収性素材は、液を引き込む力は大きいが、保持する力は小さいので、廃棄時の液垂れを抑制する等の観点から、高吸水性樹脂のみを含有する吸収体、すなわち高吸水性樹脂１００％の吸収体が好ましい。高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
なお、吸収体Ａ１は、形状保持等のために、例えば、クレープ紙や透液性の不織布や孔開きシートなどの透液性の被覆部材によって囲繞することが望ましい。
【００３６】
シート材Ａ２は、尿Ｎなどの水様成分を含む体液等を受けて、吸収体Ａ１まで輸送する役割を果たす、透液性シートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。高吸水性樹脂のこぼれを防ぐ等の観点から、スパンボンド層やメルトブローン層を含む不織布が好ましい。
ここで、シート材Ａ２は、親水性であることが好ましく、シート材Ａ２が親水性であると、トレー部材１２０内の尿Ｎ及び尿封止液Ｍのうち、尿Ｎだけを吸収して廃棄することが可能となる。
【００３７】
吸収性物品Ａは、例えば、２枚のシート材Ａ２，Ａ２の間に吸収体Ａ１を配置し、当該吸収体Ａ１の周辺部でシート材Ａ２，Ａ２を適宜接着することにより製造されたものであってもよいし、１枚のシート材Ａ２で吸収体Ａ１をくるみ、当該吸収体Ａ１の周辺部でシート材Ａ２を適宜接着することにより製造されたものであってもよい。
【００３８】
また、吸収性物品Ａには、例えば図５に示すように、トレー部材１２０の内部に敷設された状態で、少なくとも先端部が当該トレー部材１２０の外部に延出可能な取手部Ａ３が設けられていることが好ましい。
吸収性物品Ａに取手部Ａ３を設けることで、飼い主は、吸収性物品Ａを直接つかむのではなく、取手部Ａ３をつかみながら、吸収性物品Ａを移動させることができる。したがって、飼い主は、手等を汚すことなく、トレー部材１２０内に吸収性物品Ａを敷設したり、トレー部材１２０内から吸収性物品Ａを引き上げたりすることが可能となる。
なお、本実施形態では、吸収性物品Ａに糸状の取手部Ａ３を設けたが、取手部Ａ３の形状は、糸状に限ることはなく、適宜任意に変更可能であり、例えば、帯状や棒状であってもよい。
また、吸収性物品Ａに設ける取手部Ａ３の個数や位置は、適宜任意に変更可能である。  
【００３９】
また、吸収性物品Ａは、例えば図６に示すように、表面（上面及び下面）に凹凸が形成されていてもよい。吸収性物品Ａの表面に凹凸を形成することで、表面に凹凸が形成されていない場合と比較して、吸収性物品Ａの表面積が増加し、また、吸収性物品Ａの下面とトレー部材１２０の底面との間に隙間ができるため、効率よく尿Ｎを吸収することが可能となる。
吸収性物品Ａの表面に凹凸を形成する方法は、例えば、シート材Ａ２で吸収体Ａ１を包んだ後に、熱エンボスロール等によって波状加工やプロファイル加工などを施すことで凹凸形状を形成する方法であってもよいし、熱エンボスロール等によって波状加工やプロファイル加工などを施すことで凹凸形状が形成されたシート材Ａ２で、吸収体Ａ１を包む方法であってもよいし、その他の方法であってもよい。
【００４０】
また、吸収性物品Ａにおいて、吸収体Ａ１は、区画されていてもよい。吸収体Ａ１が区画されていないと、吸収性物品Ａをトレー部材１２０内に敷設する際等に吸収体Ａ１が片寄ってしまい、吸収体Ａ１の膨張が制限されて、吸収力が低下してしまう場合がある。これに対し、吸収体Ａ１を区画することで、吸収体Ａ１の片寄りを抑制できるので、吸収力が低下することなく、効率よく尿Ｎを吸収することが可能となる。
【００４１】
吸収体Ａ１を区画する方法としては、例えば図７及び図８に示すように、ヒートシール等によってシート材Ａ２の上面側と下面側とが直接接着された接着部Ａ４によって吸収体Ａ１をセル状に区画する方法であってもよいし、その他の方法であってもよい。接着部Ａ４によって吸収体Ａ１をセル状に区画すると、吸収性物品Ａの表面に凹凸が形成されるので、より効率よく尿Ｎを吸収することが可能となる。
なお、図７及び図８では、吸収性物品Ａの長手方向に延在する２本の接着部Ａ４と幅方向に延在する２本の接着部Ａ４とを設けて、吸収体Ａ１を３（縦）×３（横）に区画したが、これに限ることはなく、長手方向に延在する接着部Ａ４の本数や、幅方向に延在する接着部Ａ４の本数は、適宜任意に変更可能であり、また、長手方向に延在する接着部Ａ４のみで、あるいは、幅方向に延在する接着部Ａ４のみで吸収体Ａ１を区画することも可能である。また、吸収性物品Ａの長手方向や幅方向に対して斜めに延在する接着部Ａ４によって吸収体Ａ１を区画することも可能である。ただし、セル容積は、吸収体Ａ１の吸収力の低下が生じない、吸収体Ａ１が十分に膨張できる容積であること、すなわち吸収体Ａ１の膨張容量よりも大きいことが望ましい。また、接着部Ａ４同士の間隔は、吸収体Ａ１の片寄りを抑制する等の観点から、１５０ｍｍ以下であることが好ましい。
【００４２】
また、吸収性物品Ａをトレー部材１２０内に敷設する際等に生じる吸収体Ａ１の片寄りを抑制するために、水溶性接着剤で吸収体Ａ１を固めることも可能である。この場合、尿Ｎに接することで水溶性接着剤の接着力が緩んで、吸収体Ａ１が十分に膨張できる程度に、吸収体Ａ１を固めるとよい。
【００４３】
以下、具体的な実施例によって本発明を説明するが、発明はこれらに限定されるものではない。
【００４４】
＜実施例１＞
尿Ｎよりも比重の小さい疎水性の液体として、ミシン油（紅椿化学工業所製、粘度７ｍＰａ・ｓ、以下「実施例１−１の液体」という。）、スピンドルオイル（エーゼット製、粘度１５ｍＰａ・ｓ、以下「実施例１−２の液体」という。）、タービンオイル（エーゼット製、粘度３４ｍＰａ・ｓ、以下「実施例１−３の液体」という。）、コンプレッサーオイル（エーゼット製、粘度６６ｍＰａ・ｓ、以下「実施例１−４の液体」という。）、チェーンソーオイル（エーゼット製、粘度１１６ｍＰａ・ｓ、以下「実施例１−５の液体」という。）を用意した。
【００４５】
そして、１００ｍＬビーカー（直径５０ｍｍ）に青色に着色した精製水を７０ｍＬ入れ、封止層（実施例１−１の液体の層）の厚みが約３ｍｍとなるよう、静かに実施例１−１の液体を５．９ｍＬ滴下した。
次いで、マグネティックスターラー（アズワン社製  ＨＳ−３０Ｄ）にて、４００ｒｐｍで１分間攪拌後、１分間静置した。
次いで、静置後、封止層（実施例１−１の液体の層）と水層（精製水の層）との境界が明瞭であるか否か、封止層が攪拌前と比較して濁っているか否かを目視にて確認した。
その結果を、表１の「攪拌試験」の欄に示す。ここで「◎」は「境界が明瞭で、濁りもほぼない」、「○」は「境界は明瞭だが、濁りがある」、「△」は「境界がやや不明瞭で、濁りがある」である。
【００４６】
また、１００ｍＬメスシリンダー（直径２８ｍｍ）に青色に着色した精製水を５０ｍＬ入れ、封止層（実施例１−１の液体の層）の厚みが約５ｍｍとなるよう、静かに実施例１−１の液体を３ｍＬ滴下した。
次いで、青色に着色した精製水２０ｍＬを、液面よりも５０ｍｍ高い位置からシリンジにて滴下した。
次いで、滴下後、封止層（実施例１−１の液体の層）と水層（精製水の層）との境界が明瞭であるか否か、封止層に液泡があるか否かを目視にて確認した。
その結果を、表１の「滴下試験」の欄に示す。ここで「◎」は「境界が明瞭で、細かな液泡もほぼない」、「○」は「境界は明瞭だが、液泡がかなりある」、「△」は「境界がやや不明瞭で、液泡がかなりある」である。
【００４７】
また、実施例１−２の液体、実施例１−３の液体、実施例１−４の液体、実施例１−５の液体についても、実施例１−１の液体と同様の攪拌試験及び滴下試験を行った。その結果も表１に示す。
【表１】
2014195429.tif 000003
【００４８】
攪拌試験及び滴下試験の結果から、尿Ｎよりも比重の小さい疎水性の液体を尿封止液Ｍとして用いれば、尿封止液Ｍの層で水様成分（本実施例の場合、精製水）を覆って封止できることが分かった。
また、表１の結果から、尿封止液Ｍの粘度が小さいほど、水様成分と尿封止液Ｍとが分離しやすく、尿封止液Ｍの粘度が６６ｍＰａ・ｓ以下であれば、尿封止液Ｍの層の中への水様成分（水様成分からなる液泡等）の混入が抑制され、水様成分と尿封止液Ｍとがほぼ分離して水様成分が尿封止液Ｍの層（封止層）でほぼ覆われて封止された状態になることが分かった。
以上の結果から、尿封止液Ｍの層によって、尿Ｎ等の水様成分を封止できることが分かった。
【００４９】
＜実施例２＞
尿Ｎよりも比重の小さい疎水性の液体として、ミシン油（紅椿化学工業所製、粘度７ｍＰａ・ｓ）を用意した。
そして、縦１４０ｍｍ×横１２５ｍｍ×高さ１００ｍｍの容器に封止層（ミシン油の層）の厚みが約３ｍｍとなるよう、ミシン油を滴下した。
次いで、その容器に、３％アンモニア水をシリンジで静かに１５０ｃｃ注入し、封止層の下側にアンモニア水が移動するまで容器に蓋をせずに開放系で静置した。
次いで、容器に蓋をして、１分間静置後、ガステック検知管でアンモニア濃度を測定するとともに、官能評価を行った。
その結果を表２に示す。ここで、官能評価の「１」は「やっと感知できるにおい」、「２」は「何のにおいかが分かる程度の弱いにおい」、「３」は「楽に感知できるにおい」、「４」は「強いにおい」、「５」は「強烈なにおい」である。
【００５０】
＜比較例＞
また、ミシン油を含んでいない（導入していない）場合についても、同様の濃度測定及び官能評価を行った。具体的には、縦１４０ｍｍ×横１２５ｍｍ×高さ１００ｍｍの容器に３％アンモニア水を１５０ｃｃ注入し、１分間静置後、蓋をして、ガステック検知管でアンモニア濃度を測定するとともに、官能評価を行った。その結果も表２に示す。
【表２】
2014195429.tif 000004
【００５１】
表２の結果から、尿Ｎよりも比重の小さい疎水性の液体を尿封止液Ｍとして用いれば、尿封止液Ｍの層によって、臭いの発散を抑制できることが分かった。
【００５２】
以上のように、本実施形態のペット用トイレ１によれば、上面に開口を有する容器型のトイレ本体１００と、上下方向に貫通する複数の貫通孔２０１，…を有し、トイレ本体１００内を上層部分と下層部分とに区画する仕切部材２００と、を備え、下層部分に、尿Ｎよりも比重の小さい疎水性の液体（尿封止液Ｍ）を導入した状態で使用される。
【００５３】
したがって、尿Ｎを、尿Ｎよりも比重の小さい疎水性の液体（尿封止液Ｍ）の層で封止された状態で、トイレ本体１００の下層部分（本実施形態の場合、トレー部材１２０）内に貯留できるので、臭いの発散を抑制することが可能となる。
また、トイレ本体１００の下層部分へと尿Ｎを導く集液ロートを備えておらず、尿Ｎがトイレ本体１００の上層部分から下層部分へと直接落ちる構成なので、集液ロートに尿Ｎやトイレ砂が堆積して、そこから臭いが発散する等の不都合も生じない。
また、集液ロートを備える場合と比較して、ペット用トイレの高さを抑制できるので、犬でも使用可能なペット用トイレとなる。
【００５４】
また、本実施形態のペット用トイレ１によれば、トイレ本体１００の内面のうち仕切部材２００よりも下側には、当該トイレ本体１００の平面視内側に向けて延出する液返し部１２２が形成されており、仕切部材２００のうち複数の貫通孔２０１，…が設けられた部分は、その平面視におけるサイズが、液返し部１２２で囲まれた開口の平面視におけるサイズよりも小さい。
【００５５】
このように、トイレ本体１００に液返し部１２２を設けることで、トイレ本体１００の下層部分（本実施形態の場合、トレー部材１２０）内に貯留されている尿Ｎ等がこぼれにくくなる。
また、仕切部材２００のうち複数の貫通孔２０１，…が設けられた部分の平面視におけるサイズを制限することで、仕切部材２００の貫通孔２０１，…を通過した尿Ｎ等の液体が、液返し部１２２の先端部や上面に付着することを抑制できるので、液返し部１２２に尿Ｎが付着し、そこから臭いが発散する等の不都合が生じにくくなる。
なお、本実施形態では、液返し部１２２をトレー部材１２０に備えたが、液返し部１２２は、トイレ本体１００に備えられていればよく、例えば、収納部材１１０に備えられていてもよい。
また、トイレ本体１００は、液返し部１２２を備えていなくてもよい。また、トイレ本体１００が液返し部１２２を備えていない場合には、仕切部材２００のうち複数の貫通孔２０１，…が設けられた部分の平面視におけるサイズは、トレー部材１２０の上面開口の平面視におけるサイズよりも小さければよい。
【００５６】
また、本実施形態のペット用トイレ１によれば、トイレ本体１００は、下層部分を構成するトレー部材１２０と、トレー部材１２０を取り出し可能に収納する収納部材１１０と、を備えている。
【００５７】
したがって、トレー部材１２０内に尿Ｎ等が貯留されるので、尿Ｎ等が廃棄しやすく、トイレ本体１００が洗浄しやすくなる。
なお、トイレ本体１００は、トレー部材１２０を左右方向（あるいは前後方向）にスライドさせて着脱する構成でなくてもよく、収納部材１１０の上面開口から出し入れして着脱する構成であってもよい。この構成の場合、開口部１１２は不要である。
また、トイレ本体１００は、収納部材１１０とトレー部材１２０とに分かれていなくてもよい。また、トイレ本体１００は、上下に分離可能であってもよく、この場合、例えば、上側の部分に仕切部材２００が取り付けられ、下側の部分がトレー部材１２０に相当する。
【００５８】
以上のように、本実施形態の尿封止液Ｍによれば、尿Ｎよりも比重の小さい疎水性の液体からなり、排尿を収容する排尿収容容器（本実施形態の場合、ペット用トイレ１）に導入されて使用されることで、尿Ｎを封止する封止層を尿Ｎの上層に形成する。
【００５９】
したがって、排尿収容容器に収容されている尿Ｎを尿封止液Ｍの層（封止層）で覆って封止できるので、臭いの発散を抑制することが可能となる。
なお、排尿を収容する排尿収容容器は、ペットの排尿を収容する容器であってもよいし、人間の排尿を収容する容器であってもよい。
【００６０】
また、本実施形態の尿封止液Ｍによれば、粘度が６６ｍＰａ・ｓ以下であることが好ましい。
【００６１】
尿封止液Ｍの粘度を６６ｍＰａ・ｓ以下にすることで、尿Ｎと尿封止液Ｍとがすばやく分離し、臭いの発散をすばやく防止することが可能となる。
【００６２】
また、本実施形態の尿封止液Ｍによれば、引火点が７０℃以上であることが好ましい。
【００６３】
尿封止液Ｍの引火点を７０℃以上にすることで、火気に注意しなければならない等の特段の配慮をする必要がなく、取り扱いやすくなる。
【００６４】
また、本実施形態の尿封止液Ｍによれば、芳香剤、消臭剤及び抗菌剤のうちの少なくとも一つが添加されていることが好ましい。
【００６５】
尿封止液Ｍに芳香剤を添加することで、排尿を収容する排尿収容容器から芳香を放つことができる。また、尿封止液Ｍ自体に特有の臭いがある場合には、芳香剤を添加することで、その臭いをマスキングすることができる。
また、尿封止液Ｍに消臭剤を添加することで、尿封止液Ｍの層を通過する間や尿封止液Ｍの層で封止されている間に尿Ｎの臭いが除去されていくので、臭いの発散を効果的に抑制できるとともに、排尿を収容する排尿収容容器内の尿Ｎを臭いの少ない状態で廃棄することができる。また、尿封止液Ｍ自体に特有の臭いがある場合には、消臭剤を添加することで、その臭いを除去することができる。
また、尿封止液Ｍに抗菌剤を添加することで、尿封止液Ｍの層を通過する間や尿封止液Ｍの層で封止されている間に尿Ｎ中の菌数が減少していくので、臭いの発散を効果的に抑制できるとともに、排尿を収容する排尿収容容器内の尿Ｎを衛生的に廃棄することができる。
【００６６】
また、本実施形態の尿封止液Ｍによれば、尿Ｎとは異なる色に着色されていることが好ましい。
【００６７】
尿封止液Ｍを着色することで、排尿を収容する排尿収容容器内に貯留されている尿Ｎを見た目にも隠蔽することができる。また、排尿を収容する排尿収容容器内の尿Ｎを廃棄する際に、尿Ｎの層と尿封止液Ｍの層との境界が分かりやすくなるので、尿Ｎだけを廃棄したい場合に、容易に達成することができる。
【００６８】
以上のように、本実施形態の吸収性物品Ａによれば、７０重量％以上の高吸水性樹脂を含有する吸収体Ａ１と、吸収体Ａ１を包む透液性のシート材Ａ２と、を備え、尿Ｎよりも比重の小さい疎水性の液体（尿封止液Ｍ）を導入した状態で使用される排尿収容容器（本実施形態の場合、ペット用トイレ１）に敷設されて使用される。
【００６９】
したがって、吸収性物品Ａは、７０重量％以上の高吸水性樹脂を含有する吸収体Ａ１を備えており、吸収体Ａ１内部に防漏層は備えていないので、途中で尿移動を阻害することなく、排尿収容容器に収容される尿Ｎを、両面で効率よく吸収することが可能となる。
特に、尿Ｎよりも比重の小さい疎水性の液体（尿封止液Ｍ）を導入した状態で使用される排尿収容容器に敷設される場合、吸収体内部に防漏層を備えていると、吸収性物品の漬かり具合によって、上下の吸収層を有効に活用できない場合があるが、本実施形態の場合、吸収体Ａ１内部に防漏層を備えていないので、吸収性物品Ａの漬かり具合にかかわらず、両面で効率よく吸収することが可能となる。
また、吸収体Ａ１は７０重量％以上の高吸水性樹脂を含有するので、排尿収容容器内の尿Ｎよりも比重の小さい疎水性の液体（尿封止液Ｍ）及び尿Ｎのうち、主に尿Ｎを吸収することが可能となる。
【００７０】
また、本実施形態の吸収性物品Ａによれば、シート材Ａ２は、親水性であることが好ましい。
【００７１】
シート材Ａ２を親水性にすることで、排尿収容容器に収容される尿Ｎを両面でより効率よく吸収することが可能となる。
また、シート材Ａ２を親水性にすることで、排尿収容容器内の尿Ｎよりも比重の小さい疎水性の液体（尿封止液Ｍ）及び尿Ｎのうち、尿Ｎだけを吸収することが可能となる。
【００７２】
また、本実施形態の吸収性物品Ａによれば、表面に凹凸を形成することも可能である。
【００７３】
吸収性物品Ａの表面に凹凸を形成することで、吸収性物品Ａの表面積が増加するとともに、吸収性物品Ａの下面と排尿収容容器の底面との間に隙間ができるため、効率よく尿Ｎを吸収することが可能となる。
【００７４】
また、本実施形態の吸収性物品Ａによれば、吸収体Ａ１は区画されていてもよい。
【００７５】
吸収体Ａ１を区画することで、吸収体Ａ１の片寄りが抑制されるので、吸収体Ａ１の膨張が制限されず、効率よく尿Ｎを吸収することが可能となる。
【００７６】
また、本実施形態の吸収性物品Ａによれば、排尿収容容器（本実施形態の場合、ペット用トイレ１）に敷設された状態で、少なくとも先端部が当該排尿収容容器の外部に延出可能な取手部Ａ３を備えることが好ましい。
【００７７】
吸収性物品Ａに取手部Ａ３を設けることで、手等を汚すことなく、排尿収容容器内に吸収性物品Ａを敷設したり、排尿収容容器内から吸収性物品Ａを引き上げたりすることが可能となる。
【００７８】
以上、本発明に係る実施形態に基づいて具体的に説明したが、本発明は上記実施形態に限定されるものではなく、その要旨を逸脱しない範囲で変更可能である。
【００７９】
＜変形例１＞
例えば、図９及び図１０に示すように、仕切部材２００の下面には、下方に向けて延出する複数の導液部２０２，…が形成されていてもよい。
具体的には、図９及び図１０に示す導液部２０２は、貫通孔２０１，…を形成する縦線部と横線部との交点それぞれから突出する導液本体２０２ａと、導液本体２０２ａの側面から当該導液本体２０２ａに隣接する他の導液本体２０２ａに向けて延出するリブ２０２ｂ，…と、からなる。リブ２０２ｂは、縦線部又は横線部から突出しており、隣り合うリブ２０２ｂ同士でアーチを描くような形状に形成されている。
【００８０】
導液部２０２の長さ（上下方向の長さ）は長い方がよい。
本変形例のように、トレー部材１２０を水平方向（本変形例の場合は左右方向であるが、前後方向であってもよい）にスライドさせて着脱する構成の場合には、例えば図９に示すように、トレー部材１２０の着脱に邪魔にならない程度の長さが好ましい。
ただし、トレー部材１２０を水平方向にスライドさせて着脱する構成であっても、仕切部材２００を取り外した状態でトレー部材１２０を着脱するタイプの場合には、導液部２０２の長さは、その先端がトイレ本体１００の底面に触れる長さが好ましい。
また、トレー部材１２０を収納部材１１０の上面開口から出し入れして着脱する構成の場合には、仕切部材２００を外した状態でトレー部材１２０の着脱を行うので、導液部２０２の長さは、その先端がトレー部材１２０の底面に触れる長さが好ましい。
また、トイレ本体１００が収納部材１１０とトレー部材１２０とに分かれていない場合や、トイレ本体１００が上下に分離可能な場合も、導液部２０２の長さは、その先端がトイレ本体１００の底面に触れる長さが好ましい。
【００８１】
仕切部材２００の下面に複数の導液部２０２，…を設けることで、仕切部材２００の貫通孔２０１，…を通過した尿Ｎが、よりトイレ本体１００の下層部分（本変形例の場合、トレー部材１２０）に近い位置で仕切部材２００から離れることになるので、トイレ本体１００の下層部分へと尿Ｎが落ちたときの液跳ねを抑制することが可能となる。また、尿Ｎが液跳ねすると、細かな水滴になり易く、尿封止液Ｍの層を通過することが困難となるが、導液部２０２，…によって尿Ｎの液跳ねを抑制することで、尿Ｎによる尿封止液Ｍの層の通過がスムーズとなり、臭いの発散を効果的に抑制することが可能となる。
【００８２】
また、仕切部材２００に、導液本体２０２ａと、リブ２０２ｂと、からなる導液部２０２を設けることで、仕切部材２００の貫通孔２０１，…を通過した尿Ｎが、リブ２０２ｂを伝って導液本体２０２ａの先端へと移動するので、仕切部材２００の貫通孔２０１，…を通過した尿Ｎを、貫通孔２０１，…を形成する縦線部や横線部、これらの交点に留まらせることなく、スムーズにトレー部材１２０内へと導くことができる。
また、導液部２０２は、仕切部材２００の下面に対して垂直に延びているので、傾斜面を有する集液ロートと比較して、尿Ｎやトイレ砂が付着しにくく、付着したとしても重力で下方へと落ちやすい。
また、仕切部材２００の下面に複数の導液部２０２，…を設けることで、仕切部材２００の上面にペットが乗っても下方に撓みにくくなるので、ペットの足濡れを防止することができる。
なお、導液部２０２の形状や位置は適宜任意に変更可能である。本変形例では、導液部２０２（導液本体２０２ａ）の先端部が先細りしているが、導液部２０２の先端部は先細りしていなくてもよい。
【００８３】
＜変形例２＞
例えば、図１１に示すように、トイレ本体１００（本変形例の場合、トレー部材１２０）の側壁下部、あるいは、例えば、図１２に示すように、トイレ本体１００（本変形例の場合、トレー部材１２０）の底壁には、尿Ｎを排出するための排出口１２３が設けられていてもよい。この場合、ペット用トイレ１は、排出口１２３を栓１２３ａで塞いだ状態で使用される。
このように、トイレ本体１００の側壁下部や底壁に排出口１２３を設けることで、尿封止液Ｍの層の下側にある尿Ｎだけを廃棄する作業を容易に行うことができる。
【００８４】
トイレ本体１００の側壁下部や底壁に排出口１２３を設ける場合、トイレ本体１００（本変形例の場合、トレー部材１２０）の底面は、例えば図１１及び図１２に示すように、排出口１２３に向けて下り傾斜していることが好ましい。
底面が排出口１２３に向けて下り傾斜していない水平の場合には、排出口１２３から尿Ｎを排出していっても、尿Ｎの層と尿封止液Ｍの層との境界面の面積がほとんど変化せず、尿封止液Ｍの層の厚みもほぼ一定である。
これに対し、底面を排出口１２３に向けて下り傾斜させることで、排出口１２３から尿Ｎを排出していくと、尿Ｎの層と尿封止液Ｍの層との境界面の面積が徐々に小さくなり、尿封止液Ｍの層が徐々に厚くなっていくため、尿Ｎの層と尿封止液Ｍの層との境界が明瞭になり、尿Ｎだけを廃棄して尿封止液Ｍは廃棄したくない場合に、容易に達成することができる。
なお、排出口１２３の位置やサイズは、適宜任意に変更可能である。
【００８５】
＜変形例３＞
例えば、図１３に示すように、トイレ本体１００（本変形例の場合、トレー部材１２０）の底面には、凹部１２４が設けられていてもよい。
凹部１２４は、例えば、左右方向の長さが１５０ｍｍ程度で、前後方向の長さが１００ｍｍ程度の大きさに形成されており、凹部１２４内に収容可能な大きさの吸収性物品Ａを当該凹部１２４内に敷設したり、適量の高吸水性樹脂を当該凹部１２４内に投入したりするために設けられている。
【００８６】
トイレ本体１００の底面に凹部１２４を設けることで、尿Ｎの層を厚くすることができる。よって、尿封止液Ｍの層の下側にある尿Ｎだけを、凹部１２４内の吸収性物品Ａや高吸水性樹脂などに吸収させることが可能となり、尿封止液Ｍまで吸収してしまうことを抑制できるので、経済的である。
また、トイレ本体１００の底面に凹部１２４が設けられていない場合、トイレ本体１００の底面と同等サイズの吸収性物品Ａを敷設するのが通例であるが、トイレ本体１００の底面に凹部１２４を設けることで、吸収性物品Ａのサイズを小さくすることができる。また、吸収性物品Ａのサイズが小さい分、吸収性物品Ａと尿封止液Ｍとの接触面積を小さくすることができ、吸収性物品Ａで尿封止液Ｍを吸収したとしても、その吸収量は少ないので、補充量が少なくて済む。また、吸収性物品Ａのサイズが小さいと、ゴミの量が少なくて済む。
【００８７】
凹部１２４内に敷設する吸収性物品Ａは、例えば図１４に示すように、吸収性物品Ａ全体が凹部１２４内に収容可能な形状・サイズであってもよいし、例えば図１５に示すように、吸収性物品Ａの吸収体Ａ１が凹部１２４内に配置され、吸収性物品Ａのシート材Ａ２でトイレ本体１００（本変形例の場合、トレー部材１２０）の底面ほぼ全体を覆うような形状・サイズであってもよい。
【００８８】
トイレ本体１００の底面に凹部１２４を設ける場合、トイレ本体１００（本変形例の場合、トレー部材１２０）の底面は、例えば図１３に示すように、凹部１２４に向けて下り傾斜していることが好ましい。
底面が凹部１２４に向けて下り傾斜していない水平の場合には、凹部１２４内の吸収性物品Ａや高吸水性樹脂などで尿Ｎを吸収していっても、尿Ｎの層と尿封止液Ｍの層との境界面の面積がほとんど変化せず、尿封止液Ｍの層の厚みもほぼ一定であるので、尿Ｎの層と尿封止液Ｍの層との境界が不明瞭になり易い。
これに対し、底面を凹部１２４に向けて下り傾斜させることで、凹部１２４内の吸収性物品Ａや高吸水性樹脂などで尿Ｎを吸収していくと、尿Ｎの層と尿封止液Ｍの層との境界面の面積が徐々に小さくなり、尿封止液Ｍの層が徐々に厚くなっていくため、尿Ｎの層と尿封止液Ｍの層との境界が明瞭になり、尿Ｎだけを吸収させて尿封止液Ｍは吸収させたくない場合に、容易に達成することができる。
なお、凹部１２４の位置やサイズは、適宜任意に変更可能である。
【００８９】
＜その他の変形例＞
例えば、上記実施形態や上記変形例では、トイレ本体１００の形状として、平面視略矩形状の箱形容器を例示して説明しているが、これに限定されるものではなく、例えば、平面視が正方形状の容器であってもよいし、円形状の容器であってもよい。
【００９０】
また、上記実施形態や上記変形例では、貫通孔２０１，…の配列として、網目状のものを例示して説明しているが、これに限定されるものではなく、例えば、格子状に配列してもよいし、不規則な形に配列してもよい。また、貫通孔２０１，…の形状は、円形、楕円形、四角形等の多角形他いずれかの形状に限定されるものでなく、任意の形状のものを使用することができる。
【００９１】
その他、ペット用トイレや吸収性物品の細部構成及び細部動作に関しても、本発明の趣旨を逸脱することのない範囲で適宜変更可能である。
【符号の説明】
【００９２】
１  ペット用トイレ（排尿収容容器）
１００  トイレ本体
１１０  収納部材
１２０  トレー部材
１２２  液返し部
１２３  排出口
１２４  凹部
２００  仕切部材
２０１  貫通孔
２０２  導液部
Ａ  吸収性物品
Ａ１  吸収体
Ａ２  シート材
Ａ３  取手部
Ｍ  尿封止液
Ｎ  尿
【図１】
2014195429.tif 000005
【図２】
2014195429.tif 000006
【図３】
2014195429.tif 000007
【図４】
2014195429.tif 000008
【図５】
2014195429.tif 000009
【図６】
2014195429.tif 000010
【図７】
2014195429.tif 000011
【図８】
2014195429.tif 000012
【図９】
2014195429.tif 000013
【図１０】
2014195429.tif 000014
【図１１】
2014195429.tif 000015
【図１２】
2014195429.tif 000016
【図１３】
2014195429.tif 000017
【図１４】
2014195429.tif 000018
【図１５】
2014195429.tif 000019